(57)【要約】      （修正有）【課題】落石防護施設の機能不足を補い性能強化を図るものであって、より大きな衝撃力に耐えることができ、さらに、耐用年数が長く、経済的でかつ施工及び保守管理が容易な落石防止施設の緩衝補強柔構造を提供する。【解決手段】法面３の頂部に立設する支柱２より吊下された縦ロープ４に落石防止用ネット５を張設し、落石防止ネット５と法面３とによって落石を貯留するポケット部６を形成すると共に、支柱２と支柱上方の斜面３ａとの間に支柱２の傾倒を防止する吊りロープ７を張架させた落石防止施設１において、吊りロープ７間に複数の横ロープを横架させると共に、横ロープにスカート状に吸撃ネット９を張設する。【選択図】図１
0003189779.tif 000002
【実用新案登録請求の範囲】
【請求項１】
傾斜面に立設する支柱より吊下された縦ロープに落石防止用ネットを張設し、この落石防止ネットと傾斜面とによって落石を貯留するポケット部を形成させると共に、前記支柱と支柱上方の傾斜地面との間に支柱の傾倒を防止する吊りロープを張架させた落石防止施設において、前記落石防止用ネットの少なくとも一部をスラック張りしたことを特徴とする落石防護施設の緩衝補強柔構造。
【請求項２】
傾斜面に立設する支柱より吊下された縦ロープに落石防止用ネットを張設し、この落石防止ネットと傾斜面とによって落石を貯留するポケット部を形成させると共に、前記支柱と支柱上方の傾斜地面との間に支柱の傾倒を防止する吊りロープを張架させた落石防止施設において、前記吊りロープ間に複数の横ロープを横架させると共に、前記横ロープにスカート状にネットを張設して、前記落石防止用ネットと支柱の間又は支柱の上流側に吸撃帯を設けたことを特徴とする落石防護施設の緩衝補強柔構造。
【請求項３】
一又は複数の吸撃帯を支柱の上流側から傾斜面側に向かって傾斜して設けたことを特徴とする請求項２記載の落石防護施設の緩衝補強柔構造。
【請求項４】
吸撃帯を傾斜面側から支柱の上流側に向かって逆勾配となるように傾斜して設けたことを特徴とする請求項２記載の落石防護施設の緩衝補強柔構造。
【請求項５】
ネットが、下記の特性を有するポリエステルモノフィラメントを素材とし、撚り合わせ部分に溶着または接着を伴うことなく織成してなる亀甲形の網目を有する合成樹脂製網状体であることを特徴とする請求項１乃至請求項４のいずれかに記載の落石防護施設の緩衝補強柔構造。
極限粘度＝０．６以上  線径＝１．５〜４．５ｍｍ  強度伸度積＝７５０〜３０００ｋｇ／ｍｍ２・％  摩耗耐久性＝５０００回／ｍｍ２以上。
【考案の詳細な説明】
【技術分野】
【０００１】  本考案は落石防護柵や落石防護網等の落石防護施設の改良に関し、とくに、道路等に近接して落石のおそれがある斜面等に構築される落石防護施設の緩衝補強柔構造に関するものである。
【背景技術】
【０００２】  従来から切土斜面の表層土砂が雨水等の自然現象によって流出したり、落石や雪崩によって斜面が崩壊することを防止するため、種々の斜面安定工法が採用されている。とくに、道路等に近接して落石のおそれがある斜面部に吊りロープ等により防護柵や防護網等を取付け、落石や雪崩を受け止めて防護する手段が一般に講じられている。【０００３】  従来の落石防護網は、柵式とポケット式と覆式とに大別される。覆式の落石防護ネットは、広い面積の金網に多数の縦ロープと、複数の横ロープを相互間隔をおいて組み込み、各縦ロープと横ロープの端部を斜面にアンカー止めして、このロープ付き金網を斜面になじむように敷設することによって、浮石等を支持して跳石や落石を防止する構造である。【０００４】  一方、ポケット式の落石防護ネットは。沢状部の両側に３〜４メートルの間隔ごとに多数のポケット形成用の支柱を上下方向傾動可能に建て込み、各支柱の上部にそれぞれ縦ロープを連結して垂下し、両端がアンカーにより支持された複数の横ロープを斜面に一定の上下間隔で配置して、この縦横ロープに金網を張設して防護網とし、吊りロープで緩衝して支持された支柱で防護網の上部を支柱の高さに吊持して、各支柱によりロープ付き金網をカーテン状に垂設し、ロープ付き金網の全幅に開口されたポケット部を形成し、落石等を収納することにより落石エネルギーを緩衝して吸収する構造になっている。【０００５】  例えば、特許文献１には、金網に多数の縦・横補強ロープとともに左・右縦ロープと上端部横ロープ及び複数の下半部横ロープを組み込み補強して、沢状部等の両側斜面に設けたアンカーに左右の支柱をヒンジ連結して沢状部等の上下方向の傾動を可能に建て込み、両側斜面にアンカーした吊ロープ及びサイドロープの端部を各支柱の上部に連結して支保し、左・右縦ロープの上端部を各支柱の上部に連結するとともに、両側斜面に両端部をアンカーした上端部横ロープを各支柱の上部でスライド可能に支持し、各下半部横ロープの各両端部を両側斜面にアンカーして、金網の上半部分を落石エネルギーを緩衝して吸収するポケット部に構成し、金網の下半部分を沢状部等の地上に敷設して落石等を受け止める敷設部に構成して構築するようにした落石防護ネットの工法が記載されている。【０００６】  一方、落石防止柵は、一般的に法面に対して柵が起立した状態を維持することにより、当該箇所における落石を防止するものであり、法面に一定間隔をおいて立てられた支柱の間に、複数のロープを横架させてなる落石防止柵が知られている。この落石防止柵も適宜間隔ずつ離間して立設した支柱の間に、金網やワイヤロープなどの衝撃吸収材が配設されている。このような落石防護柵を落石が予想される斜面に配置しておき、落石が支柱や網などの受撃材に衝突したとき、それらが変形することによって衝撃力を吸収し、柵を通過することを防ぐものである。【０００７】  従来の落石防止用柵には次のような問題点がある。
（１）支柱は落石により変形すると、支柱自体の持つ衝撃エネルギー吸収能力が著しく低下する。そのため、変形した支柱に再度落石が衝突すると、容易に変形して落石防止用柵本来の機能を失う。
（２）変形した支柱は新しい支柱と交換する必要がある。しかしながら、足場の悪い現場で、古い支柱を撤去したり新しい支柱を建て替える作業は非常に困難であり、その交換に多くの時間、労力を要する。【０００８】  落石の衝撃を推定し、それに基づいて設計される。しかしながら、構築後に新たにそれ以上の落石が予想された場合には、既に構築した防護柵は機能不足となる。また、構築当時は推定通りの衝撃吸収力を確保できたとしても、落石の累積や経年的な劣化に伴い機能が低下することは否めない。【０００９】  このような機能不足に対する対策として、既設防護柵の使用を止め、新たに機能を満たす落石防護柵を新設することが主体となっており、危険性の高い既設防護柵から順に対応しているのが現状である。しかしながら、機能が不足する既設防護柵も膨大となっているため、これらを全て新設し直すことは膨大な費用が必要となるので、現実的ではない。すなわち、既設の防護柵を使用したまま、その機能不足を補う有効な手段が求められている。【００１０】  そこで、例えば、特許文献２には、所定の間隔で支柱を設け、各支柱の間に水平ロープ材を水平方向のスライドを許容した状態で係留し、水平ロープ材の両端は固定し、各支柱間を水平ロープに掛止させたワイヤ製のネットで遮蔽し、水平ロープ材の途上にロープ材を重合させて形成した余長部と、余長部を一定の力で挟持する挟持具とにより、水平ロープ材に設定張力以上の張力が作用したとき、水平ロープ材が一定の摩擦力を保持したまま余長部が伸長して張力を吸収する緩衝部を形成したものが開示されている。【００１１】  他にも従来の落石防止柵としては、特許文献３に開示されているように、支柱の下端部に、傾斜面の上方に向けてサポート支柱を連設して補強し、支柱の上部及び下部に、支持ロープのジョイント金具を設けたものがある。また、特許文献４には、斜面に一定間隔を隔てて立てられた支柱間に、複数のロープ材を横架させてなる落石防止柵において、支柱の上端部に接続した複数のロープ材の各他端を支柱上流側の傾斜落差を介して固定し、ロープ材の間に扇状のネットを被せて支柱の上流側に傾斜する防護帯を形成し、中小規模の落石による支柱への衝突を回避するようにしたもの記載されている。
【先行技術文献】
【特許文献】
【００１２】
【特許文献１】特許第２９１６６３３号公報
【特許文献２】特開２００５−２１３７４７号公報
【特許文献３】特許第２７８７４２２号公報
【特許文献４】特開平７−４２１１８号公報
【考案の概要】
【考案が解決しようとする課題】
【００１３】  しかしながら、一般的に防護ネットは金属製で重量があり、これを斜面へ運搬して張り巡らせるのは、危険が伴うとともに作業が極めて困難であり施工性が悪い。また、亜鉛メッキを施し耐久性を向上させてはいるが、錆や腐食には弱く、海岸地帯や火山地帯、工業地帯では頻繁に更新が必要とされライフサイクルコストが嵩む。【００１４】  また、従来のワイヤネットは公知のワイヤを菱形網状に編成したものであって、これでは大きな衝撃力に耐えることができない。また、ワイヤネットの１箇所が破断すると、その破れが全体に拡がってしまい、メンテナンス費用が高くなるという問題があった。したがって、このワイヤネットの強度を向上できれば、より大きな衝撃力にも耐えることができるだけでなく、防護柵自体の寿命を長くすることができ、さらに、メンテナンス費用を低減できる。【００１５】  本考案は上記従来技術の課題に鑑み、落石防護施設の機能不足を補うための有効な性能強化を図ることを目的とする。すなわち、より大きな衝撃力に耐えることができ、さらに、耐用年数が長く、経済的でかつ施工及び保守管理が容易な落石防止施設の緩衝補強柔構造を提供することを目的とする。
【課題を解決するための手段】
【００１６】  上記課題を解決するために、本考案の落石防止施設の緩衝補強柔構造は、傾斜面に立設する支柱より吊下された縦ロープに落石防止用ネットを張設し、この落石防止ネットと傾斜面とによって落石を貯留するポケット部を形成させると共に、前記支柱と支柱上方の傾斜地面との間に支柱の傾倒を防止する吊りロープを張架させた落石防止施設において、前記落石防止用ネットの少なくとも一部をスラック張りしたことを第１の特徴とする。また、傾斜面に立設する支柱より吊下された縦ロープに落石防止用ネットを張設し、この落石防止ネットと傾斜面とによって落石を貯留するポケット部を形成させると共に、前記支柱と支柱上方の傾斜地面との間に支柱の傾倒を防止する吊りロープを張架させた落石防止施設において、前記吊りロープ間に複数の横ロープを横架させると共に、前記横ロープにスカート状にネットを張設して、前記落石防止用ネットと支柱の間又は支柱の上流側に吸撃帯を設けたことを第２の特徴とする。さらに、一又は複数の吸撃帯を支柱の上流側から法面側に向かって傾斜して設けたことを第３の特徴とする。さらにまた、吸撃帯を法面側から支柱の上流側に向かって逆勾配となるように傾斜して設けたことを第４の特徴とする。【００１７】  加えて、本考案で使用するネットは、下記の特性を有するポリエステルモノフィラメントを素材とし、撚り合わせ部分に溶着または接着を伴うことなく織成してなる亀甲形の網目を有する合成樹脂製網状体であることが好ましい。
極限粘度＝０．６以上  線径＝１．５〜４．５ｍｍ  強度伸度積＝７５０〜３０００ｋｇ／ｍｍ２・％  摩耗耐久性＝５０００回／ｍｍ２以上。
【考案の効果】
【００１８】  本考案によれば、以下の優れた効果を奏する。
（１）スラック張りされた撓み性能を有するネットの柔構造によって衝撃を吸収することができる。
（２）支柱と落石防護ネットの間又は支柱の上流側に形成した防護帯により、落石防止施設全体として衝撃吸収効率が向上する。すなわち、落石防護ネットとは別に吸撃帯を設置して、この吸撃帯によって一旦落石を受け止めるため、その衝撃の一部を吸収し、落石防護ネットに設計以上の衝撃が作用しても破損することがない。
（３）既設の落石防護施設に後付けすることができ、新設するよりも極めて低コストで防護性能を高めることができる。
（４）設計衝撃過重よりも大きな過重が作用すると予想された場合、その衝撃に応じた補強構造を採用すればよく、例えば、本考案に係る複数種の補強構造を併合して採用することもできる。
（５）安全で、労力を軽減でき施工性が良好になるばかりでなく、錆や腐食に強くライフサイクルコストを大幅に削減できる。また、網自体のリサイクルも可能である。
【図面の簡単な説明】
【００１９】
【図１】本考案に係る落石防護施設の緩衝補強柔構造の一実施例を模式的に示す横側面図である。
【図２】本考案に係る落石防護施設の緩衝補強柔構造の他の実施例を模式的に示す横側面図である。
【図３】本考案に係る落石防護施設の緩衝補強柔構造の他の実施例を模式的に示す横側面図である。
【図４】本考案に係る落石防護施設の緩衝補強柔構造の他の実施例を模式的に示す横側面図である。
【図５】本考案に係る落石防護施設の緩衝補強柔構造の他の実施例を模式的に示す横側面図である。
【図６】本考案に係る落石防護施設の緩衝補強柔構造の他の実施例を模式的に示す横側面図である。
【図７】本考案に係る落石防護施設の緩衝補強柔構造の他の実施例を模式的に示す横側面図である。
【図８】本考案に係る落石防護施設の緩衝補強柔構造の他の実施例を模式的に示す横側面図である。
【図９】本考案に係る落石防護施設の緩衝補強柔構造の他の実施例を模式的に示す横側面図である。
【図１０】本考案に係る落石防護施設の緩衝補強柔構造の他の実施例を模式的に示す横側面図である。
【図１１】本考案に係る落石防護施設の緩衝補強柔構造の他の実施例を模式的に示す横側面図である。
【図１２】本考案に係る落石防護施設の緩衝補強柔構造の他の実施例を模式的に示す横側面図である。
【図１３】本考案に係る落石防護施設の緩衝補強柔構造の他の実施例を模式的に示す横側面図である。
【考案を実施するための形態】
【００２０】  以下、図面を参照しながら本考案の実施例について説明する。
【実施例】
【００２１】  例えば、傾斜地の下方の道路、鉄道及び家屋などへの落石を防止する落石防護施設として図１に示すものがある。この落石防護施設１は、法面３の頂部に適宜複数の支柱２を立設し、その支柱２の先端２ａに吊下げられた縦ロープ４に落石防護ネット５が張設され、この落石防護ネット５と法面３とによって落石を一時的に貯留するポケット部４を形成するものである。そして、縦ロープ４並びに落石防護ネット５の重量及びポケット部６に貯留された落石の過重により支柱２が傾倒するのを防止するため、その支柱２の先端２ａと支柱２上方の斜面３ａとの間に吊りロープ７が張架され、この吊りロープ７は斜面３ａに設けられたアンカー８により固定されている。【００２２】  そして、図１及び図２に示すように、既設の落石防止用ネット５の全部又は少なくとも一部に、吸撃ネット９をスラック張りして積層している。本考案で言うスラック張りとは、ネットに予めギャザー、皺等により蛇腹状の緩みを加え、既設ネット５に積層することである。このスラック張りによる遊びにより、落石の衝突エンルギーが緩和されると共に、目寄せ機能が発揮されネットの強度が向上する。尚、吸撃ネット９は、既設ネット５の表面側だけでなく、裏面側に張設するものでもよい。【００２３】  また、法面３の下にコンクリートによって構築した擁壁と、この擁壁の上に適宜間隔を離間して立設した複数本の支柱と、隣り合う支柱間に渡した受撃材とからなる落石防護柵もある。支柱としては、Ｈ形鋼や鋼管状の部材が使用される。受撃材としては、金網や金網とワイヤロープとの組み合わせ、あるいは摩擦による衝撃吸収性能を持たせたワイヤロープなど様々な形態が採用される。この落石防護柵１の形態は様々であるが、基本的に、擁壁と支柱との剛性の高い構造と、比較的柔軟性を備える受撃材との組み合わせからなっているのが主流であって、本考案もまたこのような既設の落石防護構造を補強する構成とする。【００２４】  落石防止用ネット５の固定部として斜面３ａにアンカー８を打設する。このアンカー８の地上からの突出部分に、吊りロープ７を固定するものである。アンカー８としては、様々な形態のものが採用でき、鋼棒を斜面に形成した削孔に埋設して、グラウド材を注入して固定するようなロックボルトタイプ、削孔に埋設したシースの中に通し、ＰＣ鋼より線をグラウド材によって定着するグラウンドアンカータイプなど様々なタイプが使用可能である。以上のようなアンカー８の地上への突出部分には、吊りロープ７を引っ掛けたり、結び付けたりするリングを有するアタッチメント等を取り付ける。アンカー８は、複数本を適宜離間して斜面３ａに打設する。【００２５】  前記したアンカー８に、吊りロープ７を固定する。吊りロープ７は、樹脂製ロープ、ワイヤ、鎖などの線状に長い部材であって、ある程度の撓み性能を有している。この吊りロープ７を各アンカー８と、支柱２との間にかけ渡して結び付ける。【００２６】  以上のようにアンカー８と支柱２間に渡した隣接した吊りロープ７間に、吸撃帯としての吸撃ネット９を配設する。吸撃ネット９としては、撓み性を有する様々な部材などが採用でき、金網、エキスパンドメタル、合成樹脂繊維による紐材を編んだネットなどが採用できる。ネットの場合には、その撓み性能、つまりは衝撃吸収力は大きく、とくにネットを横ロープ１１により吊りロープ７間に固定し、スカート状に吸撃ネット９の下端をフリーランス（非固定）にすることで、落石１０が衝突したとき、ネットのみが撓むのではなく、衝撃が作用した箇所にネット９を支承する吊りロープ７や横ロープ１１が引き寄せられて、落石エネルギーを緩和する。したがって、落石１０が吸撃ネット９を通過した場合も既設ネット５への衝撃は極めて小となる。【００２７】  本考案で使用するネットは、下記の特性を有するポリエステルモノフィラメントを素材とし、撚り合わせ部分に溶着または接着を伴うことなく織成してなる亀甲形の網目を有する合成樹脂製網状体であることが好ましい。
極限粘度＝０．６以上  線径＝１．５〜４．５ｍｍ  強度伸度積＝７５０〜３０００ｋｇ／ｍｍ２・％  摩耗耐久性＝５０００回／ｍｍ２以上。【００２８】  本考案の要旨は、支柱２間に複数の横ロープ１１を横架させると共に、横ロープ材１１の間にスカート状に吸撃ネット９を張設して、既設又は新設の落石防止用ネット５と支柱１の間又は支柱１の上流側で、落石１０のエネルギーを吸収して緩和する柔構造を設けるものである。すなわち、一又は複数の吸撃ネット９を支柱２の上流側から法面３側に向かって傾斜して配置すること、吸撃ネット９を法面３側から支柱２の上流側に向かって逆勾配となるように傾斜して配置すること等も当然自由である。【００２９】  具体的に、吸撃ネット９の張設位置や枚数は図３〜図１３に示すように、種々の形態が考えられるが、単数又は複数の重層、側面視でＶ字状やＷ字状に幾何的に複層することが考えられるが、落石１０が、先ず、吸撃ネット９捉えられるか又は吸撃ネット９の裾に衝突することにより衝突エネルギーが減衰され、落石防護ネット５は落石１０の直撃を免れる構成であればよい。したがって、吸撃ネット９の具体的数量、配置位置、強度は設計的事項であり、現場の状況に応じて適宜選択するものであればよい。
【符号の説明】
【００３０】１  落石防護施設
２  支柱
２ａ支柱先端
３  法面
３ａ斜面
４  縦ロープ
５  落石防止ネット
６  ポケット部
７  吊りロープ
８  アンカー
９  吸撃ネット（衝撃吸収帯）
１０落石
１１横ロープ
【図１】
0003189779.tif 000003
【図２】
0003189779.tif 000004
【図３】
0003189779.tif 000005
【図４】
0003189779.tif 000006
【図５】
0003189779.tif 000007
【図６】
0003189779.tif 000008
【図７】
0003189779.tif 000009
【図８】
0003189779.tif 000010
【図９】
0003189779.tif 000011
【図１０】
0003189779.tif 000012
【図１１】
0003189779.tif 000013
【図１２】
0003189779.tif 000014
【図１３】
0003189779.tif 000015